(57)【要約】【課題】１種類の吸音材が幅広い周波数域で吸音すること。【構成】内部の密度が連続的に変化する吸音材を含む吸音構造体。フレームと、フレームに固定される複数の隔壁と、隣接する前記隔壁の間に保持される吸音材と、を有する吸音構造体。吸音構造体を２段以上積層した積層吸音構造体。実質的に均一な密度を有する吸音材を少なくとも一方向に伸縮し、密度が連続的に変化する吸音材を形成する工程と、前記吸音材をフレームに保持する工程と、を含む吸音構造体の製造方法。【選択図】図１
2005189485.tif 000002
【特許請求の範囲】
【請求項１】
内部の密度が連続的に変化する吸音材を含むことを特徴とする吸音構造体。
【請求項２】
前記吸音材は、音波の入射面と、前記入射面の反対側の背面と、を有し、前記入射面から前記背面に向かって、前記吸音材の密度が連続的に変化する請求項１に記載の吸音構造体。
【請求項３】
前記入射面から前記背面に向かって、前記吸音材の密度が連続的に上昇する請求項２に記載の吸音構造体。
【請求項４】
前記入射面から前記背面に向かって、前記吸音材の密度が連続的に減少する請求項２に記載の吸音構造体。
【請求項５】
前記入射面と前記背面との間に中央部が位置し、前記入射面から中央部に向かって、前記吸音材の密度が連続的に上昇し、前記中央部から前記背面に向かって、前記吸音材の密度が連続的に低下する請求項２に記載の吸音構造体。
【請求項６】
前記吸音材を保持するためのフレームを含む請求項１〜５の何れかに記載の吸音構造体。
【請求項７】
前記吸音材を挟むための隔壁を含む請求項１〜６の何れかに記載の吸音構造体。
【請求項８】
前記隔壁が前記フレームに固定されている請求項７に記載の吸音構造体。
【請求項９】
前記隔壁を前記フレームに固定する固定部材を更に有する請求項８に記載の吸音構造体。
【請求項１０】
前記隔壁にはその厚さ方向に複数の貫通孔が形成されている請求項７、８又は９に記載の吸音構造体。
【請求項１１】
前記フレームと前記隔壁との間に背後空気層が形成されている請求項７〜１０の何れかに記載の吸音構造体。
【請求項１２】
上面及び下面の少なくとも一方を有するフレームと、
前記フレームの前記上面及び前記下面の少なくとも一方に固定される複数の隔壁と、
隣接する前記隔壁の間に保持される吸音材と、
を有することを特徴とする吸音構造体。
【請求項１３】
隣接する前記隔壁の間隔が前面から背面に向かって連続的に変化する請求項１２に記載の吸音構造体。
【請求項１４】
前記フレームは、前記上面及び前記下面、並びに、第１側面及び背面を有し、
前記隔壁は、第１隔壁を有し、
前記上面、前記下面、前記背面、前記第１側面及び前記第１隔壁が、第１背後空気層を形成する請求項１２又は１３に記載の吸音構造体。
【請求項１５】
前記フレームは、更に、第２側面を有し、
前記隔壁は、更に、第２隔壁を有し、
前記上面、前記下面、前記背面、前記第２側面及び前記第２隔壁が、第２背後空気層を形成する請求項１４に記載の吸音構造体。
【請求項１６】
前記隔壁を前記フレームの前記上面及び前記下面の少なくとも一方に固定する固定部材を更に有する請求項１２〜１５の何れかに記載の吸音構造体。
【請求項１７】
前記隔壁にはその厚さ方向に複数の貫通孔が形成されている請求項１２〜１６の何れかに記載の吸音構造体。
【請求項１８】
請求項１〜１７の何れかに記載の吸音構造体を２段以上積層したことを特徴とする積層吸音構造体。
【請求項１９】
下面を有するフレームと、
前記フレームの前記下面に固定される複数の隔壁と、
を有する吸音構造体用前駆体であって、
隣接する前記隔壁の間隔が前面から背面に向かって連続的に変化する吸音構造体用前駆体。
【請求項２０】
前記フレームは、背面及び第１側面を有し、
前記隔壁は、少なくとも第１隔壁を有し、
前記下面、前記背面、前記第１側面及び前記第１隔壁が、第１背後空気層を形成する、
ことを特徴とする請求項１９に記載の吸音構造体用前駆体。
【請求項２１】
前記隔壁を前記フレームの前記下面に固定する固定部材を更に有する請求項１９又は２０に記載の吸音構造体前駆体。
【請求項２２】
実質的に均一な密度を有する吸音材を少なくとも一方向に伸縮し、密度が連続的に変化する吸音材を形成する工程と、
前記吸音材をフレームに保持する工程と、を含む吸音構造体の製造方法。
【請求項２３】
フレームの下面に複数の隔壁を固定し、吸音構造体用前駆体を得る工程と、
前記吸音構造体用前駆体の前記隔壁の間に吸音材を充填する工程と、
前記隔壁又は前記フレームの側壁に前記フレームの上面を固定する工程と、
を含む吸音構造体の製造方法。
【請求項２４】
隣接する前記隔壁の間隔が前面から背面に向かって連続的に変化する請求項２３に記載の吸音構造体の製造方法。
【請求項２５】
壁と、
請求項１〜１７の何れかに記載の吸音構造体を２段以上積層した積層吸音構造体と、
を有する音響調整空間であって、
前記積層吸音構造体が、前記壁の内側に設けられていることを特徴とする音響調整空間。
【発明の詳細な説明】
【技術分野】
【０００１】
本発明は、吸音構造体及びその製造方法に関する。
【背景技術】
【０００２】
無響室、防音室などでは、吸音材が壁の内側に設けられている。また、工場の製造エリア及びその包囲の騒音を低減するために吸音材が用いられる。さらに、空調機器及び送風機の機器騒音を低減するために、機器内部に吸音材が配置されている場合がある。更にまた、車輌の上面、側面又は下面に吸音材が配置されている場合がある。また、防音ダクトとして、ダクトの外周面に吸音材が配置されている場合もある。
【０００３】
音のエネルギーが、振動を伴った熱エネルギーに変換され、反射する音のエネルギーが小さくなることを吸音という。吸音材には、多孔質材、共鳴材、及び、これらの組み合わせがある。吸音材としては、グラスウール、ロックウール、金属繊維、ウレタンフォーム等が知られていて、これら吸音材の表面にパンチングメタルやエキスパンドメタルを配置した吸音構造体がある。最近では、特許文献１に記載されているように、ポリオレフィン系吸音材も開発されている。
【０００４】
吸音材の吸音率は周波数特性を持ち、一般的には、吸音材は特定の周波数域を良好に吸音するものである。即ち、特定の周波数域では吸音率が高く、それ以外の周波数域では吸音率は低下する。そこで、幅広い周波数域で吸音することが求められる場合には、吸音材の厚さを厚くしたり、背後空気層を大きくとったり、あるいは、良好に吸音する周波数域が異なる２種類以上の吸音材が組み合わせて用いられている。例えば、無響室、防音室などでは、吸音材の厚さ方向、又は、音の入射方向に対して、２種類以上の吸音材が積層されている。
【０００５】
特許文献２には、吸音率の高い周波数域が異なる２種類の素材を、吸音面と平行な方向に帯状に組合わせて配置し、吸音層を形成することが記載されている。このように２種類の素材を組合わせて配置すると、そのときの吸音特性は、それぞれの吸音特性と比較して広範囲な周波数域を吸音できるものとなる。また、特許文献２には、吸音率の高い周波数域が異なる２種類の素材を、吸音面と平行な方向に千鳥格子状に組合わせて配置し、吸音層を形成することも記載されている。さらに、特許文献２には、吸音率の高い周波数域が異なる２種類の素材を、吸音面と平行な同心円状に組合わせて配置し、吸音層を形成することも記載されている。
【０００６】
【特許文献１】特開２００３−２８６６３７
【特許文献２】特開平５−３４６７９０
【発明の開示】
【発明が解決しようとする課題】
【０００７】
幅広い周波数域での吸音が求められる場合には、従来は、２種類の吸音材が用いられていた。そして、個々の吸音材の吸音特性はその素材に依存していた。
【０００８】
しかし、２種類以上の吸音材が用いられている場合には、基本的に段階的ないし離散的な吸音になる。また、吸音材の吸音特性を変化させるのが困難であった。
【０００９】
そこで、１種類の吸音材が幅広い周波数域で吸音することが所望される。
【課題を解決するための手段】
【００１０】
本発明の第１の側面では、内部の密度が連続的に変化する吸音材を含むことを特徴とする吸音構造体が提供される。
【００１１】
本発明において、前記吸音材は、音波の入射面と、前記入射面の反対側の背面と、を有し、前記入射面から前記背面に向かって、前記吸音材の密度が連続的に変化することが好ましい。
【００１２】
あるいは、前記入射面から前記背面に向かって、前記吸音材の密度が連続的に上昇することが好ましい。
【００１３】
あるいは、前記入射面から前記背面に向かって、前記吸音材の密度が連続的に減少することが好ましい。
【００１４】
前記入射面と前記背面との間に中央部が位置し、前記入射面から前記中央部に向かって、前記吸音材の密度が連続的に上昇し、前記中央部から前記背面に向かって、前記吸音材の密度が連続的に低下することが好ましい。
【００１５】
前記吸音材を保持するためのフレームを含むことが好ましい。
【００１６】
前記吸音材を挟むための隔壁を含むことが好ましい。
【００１７】
前記隔壁が前記フレームに固定されていることが好ましい。
【００１８】
前記隔壁を前記フレームに固定する固定部材を更に有することが好ましい。
【００１９】
前記隔壁にはその厚さ方向に複数の貫通孔が形成されていることが好ましい。
【００２０】
前記フレームと前記隔壁との間に背後空気層が形成されていることが好ましい。
【００２１】
本発明の第２の側面では、上面及び下面の少なくとも一方を有するフレームと、前記フレームの前記上面及び前記下面の少なくとも一方に固定される複数の隔壁と、隣接する前記隔壁の間に保持される吸音材と、を有することを特徴とする吸音構造体が提供される。
【００２２】
本発明において、隣接する前記隔壁の間隔が前面から背面に向かって連続的に変化することが好ましい。
【００２３】
また、前記フレームは、前記上面及び前記下面、並びに、第１側面及び背面を有し、前記隔壁は、第１隔壁を有し、前記上面、前記下面、前記背面、前記第１側面及び前記第１隔壁が、第１背後空気層を形成することが好ましい。
【００２４】
更に、前記フレームは、更に、第２側面を有し、前記隔壁は、更に、第２隔壁を有し、前記上面、前記下面、前記背面、前記第２側面及び前記第２隔壁が、第２背後空気層を形成することが好ましい。
【００２５】
更にまた、前記隔壁を前記フレームの前記上面及び前記下面の少なくとも一方に固定する固定部材を更に有することが好ましい。
【００２６】
更に、前記隔壁にはその厚さ方向に複数の貫通孔が形成されていることが好ましい。
【００２７】
本発明の第３の側面では、上記の何れかに記載の吸音構造体を２段以上積層したことを特徴とする積層吸音構造体が提供される。
【００２８】
本発明の第４の側面では、下面を有するフレームと、前記フレームの前記下面に固定される複数の隔壁と、を有する吸音構造体用前駆体であって、隣接する前記隔壁の間隔が前面から背面に向かって連続的に変化する吸音構造体用前駆体が提供される。
【００２９】
本発明において、前記フレームは、背面及び第１側面を有し、前記隔壁は、少なくとも第１隔壁を有し、前記下面、前記背面、前記第１側面及び前記第１隔壁が、第１背後空気層を形成することが好ましい。
【００３０】
また、前記隔壁を前記フレームの前記下面に固定する固定部材を更に有することが好ましい。
【００３１】
本発明の第５の側面では、実質的に均一な密度を有する吸音材を少なくとも一方向に伸縮し、密度が連続的に変化する吸音材を形成する工程と、前記吸音材をフレームに保持する工程と、を含む吸音構造体の製造方法が提供される。
【００３２】
本発明の第６の側面では、フレームの下面に複数の隔壁を固定し、吸音構造体用前駆体を得る工程と、前記吸音構造体用前駆体の前記隔壁の間に吸音材を充填する工程と、前記隔壁又は前記フレームの側壁に前記フレームの上面を固定する工程と、を含む吸音構造体の製造方法が提供される。
【００３３】
本発明において、隣接する前記隔壁の間隔が前面から背面に向かって連続的に変化することが好ましい。
【００３４】
本発明の第７の側面では、壁と、上記の何れかに記載の吸音構造体を２段以上積層した積層吸音構造体と、を有する音響調整空間であって、前記積層吸音構造体が、前記壁の内側に設けられていることを特徴とする音響調整空間が提供される。
【発明の効果】
【００３５】
本発明の第１の側面では、内部の密度が連続的に変化する吸音材を含む吸音構造体が提供されるので、吸音構造体の吸音特性を柔軟に変化させることが可能となる。即ち、吸音材の密度が大きくなると周波数特性は低周波数域へシフトする傾向があり、吸音材の密度を変化させることにより、１種類の素材からなる吸音材を用いた場合であっても、幅広い周波数域で吸音構造体の吸音率を向上することが可能になる。もっとも、本発明では、素材が異なる２種類の吸音材を用いることを排除するものではない。
【００３６】
特に、吸音材の入射面から背面に向かって、吸音材の密度が連続的に変化する場合には、幅広い周波数域で吸音構造体の吸音率を向上することが可能になる。また、吸音構造体の製造が容易になり、製造コスト削減が可能となる。
【００３７】
本発明の第２の側面では、上面及び下面の少なくとも一方を有するフレームと、前記フレームの前記上面及び前記下面の少なくとも一方に固定される複数の隔壁と、隣接する前記隔壁の間に保持される吸音材と、を有することを特徴とする吸音構造体が提供される。このような新規な構造の吸音構造体は、吸音材の内部の密度変化を調整することが容易になり、１種類の素材からなる吸音材を用いた場合であっても、幅広い周波数域で吸音構造体の吸音率を向上することが可能になる。
【００３８】
特に、隣接する隔壁の間隔がフレームの前面から背面に向かって連続的に変化する場合には、吸音材の内部の密度変化を調整することが容易になる。伸縮されていない、通常の状態では、実質的に均一の密度の吸音材を隣接する隔壁の間に伸縮させながら充填することにより、吸音材の内部の密度が変化することになるからである。即ち、隔壁の間隔が狭い部位では、吸音材が圧縮され、吸音材の密度が上昇する。一方、隔壁の間隔が広い部位では、吸音材が伸張し又はさほど圧縮されず、吸音材の密度が相対的に低下する。
【００３９】
本発明の第３の側面では、上記の何れかに記載の吸音構造体を２段以上積層したことを特徴とする積層吸音構造体が提供される。積層吸音構造体が無響室、コンサートホール、講堂、体育館、工場等の壁に設けられた場合には、従来と比べて、積層吸音構造体の厚さを薄くすることができる。即ち、従来は、異なる吸音材を内蔵した２種類の吸音構造体を壁の厚さ方向に並設していたが、本発明の第３の側面では、１種類の積層吸音構造体を壁に設ければよいからである。
【００４０】
本発明の第４の側面では、下面を有するフレームと、前記フレームの前記下面に固定される複数の隔壁と、を有する吸音構造体用前駆体であって、隣接する前記隔壁の間隔が前面から背面に向かって連続的に変化する吸音構造体用前駆体が提供される。この吸音構造体用前駆体を用いることにより、吸音構造体、特に本発明の第２の側面で提供される吸音構造体を簡易に製造することができる。即ち、この吸音構造体用前駆体の隔壁の間に吸音材を充填することにより、吸音構造体を簡易に製造することができる。
【００４１】
本発明の第５の側面では、実質的に均一な密度を有する吸音材を少なくとも一方向に伸縮し、密度が連続的に変化する吸音材を形成する工程と、前記吸音材をフレームに保持する工程と、を含む吸音構造体の製造方法が提供される。これにより、所望の吸音特性を持つ吸音構造体、特に、本発明の第１の側面で提供される吸音構造体を簡易に製造することができる。
【００４２】
本発明の第６の側面では、フレームの下面に複数の隔壁を固定し、吸音構造体用前駆体を得る工程と、前記吸音構造体用前駆体の前記隔壁の間に吸音材を充填する工程と、前記隔壁又は前記フレームの側壁に前記フレームの上面を固定する工程と、を含む吸音構造体の製造方法が提供される。これにより、所望の吸音特性を持つ吸音構造体、特に、本発明の第２の側面で提供される吸音構造体を簡易に製造することができる。
【００４３】
本発明の第７の側面では、壁と、所定の積層吸音構造体とを有する、音響調整空間が提供される。所定の積層吸音構造体を設けることにより、音響調整空間における音響を好適に調整することができる。音響調整空間としては、例えば、無響室、コンサートホール、講堂、体育館、工場などが挙げられる。
【発明を実施するための最良の形態】
【００４４】
図１は、本発明の一実施形態の吸音構造体の斜視図である。吸音構造体は、吸音材４０を保持するためのフレームを有する。図１では、隔壁３０及び吸音材４０の形状を示すために、便宜上、フレームの上面２９が取り外されている。フレームは、実質的に直方体形状であり、下面２２と、左側面２４と、右側面２６と、背面とを有する。フレームは、更に、上面２９を有することが好ましい。フレームには、前面が形成されておらず、吸音材４０が曝されていてもよい。あるいは、フレームの前面は、スクリーンで被覆されていてもよい。
【００４５】
図１では、フレームの下面２２に、複数の隔壁３０が固定されている。フレームの上面及び下面に複数の隔壁３０が固定されていることが好ましい。隔壁３２、３４、３８、３９は、曲面形状をしているのに対し、隔壁３６は平面形状をしている。図１の実施態様では、隣接する隔壁３０の間隔は、フレームの前面から背面に向かって連続的に狭くなっている。隔壁３０には、その厚さ方向に複数の貫通孔が形成されていることが好ましい。共鳴により音が減衰するからである。
【００４６】
隣接する隔壁３０の間に、吸音材４０が保持されている。即ち、隔壁３２と隔壁３４の間に吸音材４１が保持されている。隔壁３４と隔壁３６の間に吸音材４３が保持されている。隔壁３６と隔壁３８の間に吸音材４５が保持されている。隔壁３８と隔壁３９の間に吸音材４７が保持されている。吸音材４１、４３、４５、４７は、伸縮されていない状態では、実質的に均一な密度である。しかし、隣接する隔壁の間隔は、フレームの前面から背面に向かって連続的に狭くなっているので、この形状に従って、吸音材４１、４３、４５、４７は、伸縮されている。即ち、前面では、吸音材４１、４３、４５、４７はほとんど圧縮されておらず又は伸長されていて、吸音材は低密度である。これに対して、フレームの背面では、吸音材は圧縮されていて、吸音材は高密度である。
【００４７】
図１の実施形態では、吸音材の内部の密度が連続的に変化している。吸音材４１、４３、４５、４７は、音波の入射面４２と、入射面４２の反対側の背面４４と、を有していて、入射面４２から背面４４に向かって、吸音材の密度が連続的に変化している。具体的には、入射面４２から背面４４に向かって、吸音材の密度が連続的に上昇している。図１の実施形態では、フレームの前面では、その全体が吸音材４０で充填されている。これに対して、フレームの背面では、その一部が吸音材４０で充填されている。
【００４８】
図１の実施態様では、隔壁３０の高さは、吸音材４１、４３、４５、４７の高さと同一である。もっとも、隔壁３０の高さは、吸音材４１、４３、４５、４７の高さよりも低くてもよい。また、図１の実施態様では、隔壁３０の高さは、フレームの側面２４、２６及びフレームの背面２８の高さと同一である。もっとも、隔壁３０の高さは、フレームの側面２４、２６及びフレームの背面２８の高さよりも低くてもよい。
【００４９】
フレームと隔壁３２との間に背後空気層５２が形成されている。即ち、フレームの上面、下面２２、背面、左側面２４及び隔壁３２が、背後空気層５２を形成する。また、フレームと隔壁３９との間に背後空気層５４が形成されている。即ち、フレームの上面、下面２２、背面、右側面２６及び隔壁３９が、背後空気層５４を形成する。背後空気層５２、５４にて共鳴することにより音を減衰させることができる。
【００５０】
図１の実施態様では、各々の隔壁３０にその高さ方向に貫通するピン６０ａ、６０ｂ、６０ｃが設けられている。ピン６０ａ、６０ｂ、６０ｃは、それぞれ隔壁３０の前面、中央部、背面に設けられている。ピン６０ａ、６０ｂ、６０ｃは、隔壁３０の高さよりも若干長く、その底部及び頂部が隔壁３０より突出している。そして、ピン６０ａ、６０ｂ、６０ｃの底部は、フレームの下面２２に設けられた貫通孔又は窪みに固定されている。同様に、ピン６０ａ、６０ｂ、６０ｃの頂部は、フレームの上面２９に設けられた貫通孔又は窪みに固定される。
【００５１】
もっとも、隔壁３０は、ピンではなく、接着剤、粘着テープ等でフレームの上面及び／又は下面に固定されていてもよい。また、隔壁３０は、吸音材４０を挟むことができればよいので、フレームの前面から背面２９まで延びている必要はない。更に、隔壁３０を省略して、吸音材４０を接着剤、粘着テープ等でフレームの上面及び／又は下面に固定してもよい。あるいは、隔壁３０を省略して、フレームの上面及び／又は下面に固定されるピンの間に吸音材を保持させてもよい。
【００５２】
以下、同一の部材は同一の符号を付し、適宜、説明を省略する。図２Ａ及び図２Ｂは、それぞれ、本発明の他の実施態様の吸音構造体を示す断面図及び正面図である。この実施態様では、隔壁３２、３４、３６、３８、３９が、平面形状をしている。図２の実施態様は、隔壁３２、３４、３８、３９の形状以外は、図１の実施態様と同様である。
【００５３】
隣接する隔壁の間に吸音材４１、４３、４５、４７が保持されている。即ち、隔壁３２と隔壁３４の間に吸音材４１が保持されている。隔壁３４と隔壁３６の間に吸音材４３が保持されている。隔壁３６と隔壁３８の間に吸音材４５が保持されている。隔壁３８と隔壁３９の間に吸音材４７が保持されている。そして、隣接する隔壁の間隔は、前面から背面に向かって連続的に狭くなっているので、前面から背面に従って、吸音材４１、４３、４５、４７は、圧縮され、吸音材４１、４３、４５、４７は低密度から高密度に変化する。フレームの下面２２及び上面２９には、それぞれ、貫通孔６２、６９が規則的に設けられていて、この環通孔６２、６９をピン６０ａ、６０が貫通している。
【００５４】
図３Ａ及び図３Ｂは、それぞれ、本発明の他の実施態様の吸音構造体を示す断面図及び正面図である。この実施態様では、隔壁３２、３４、３６、３８、３９が、平面形状をしていて、隣接する隔壁の間隔は、フレームの前面から背面に向かって連続的に広くなっている。
【００５５】
隣接する隔壁の間に、吸音材４１、４３、４５、４７が保持されている。即ち、隔壁３２と隔壁３４の間に吸音材４１が保持されている。隔壁３４と隔壁３６の間に吸音材４３が保持されている。隔壁３６と隔壁３８の間に吸音材４５が保持されている。隔壁３８と隔壁３９の間に吸音材４７が保持されている。
【００５６】
吸音材４１、４３、４５、４７は、伸縮されていない状態では、実質的に均一な密度である。従って、フレームの背面から前面に向かって、吸音材４１、４３、４５、４７は、圧縮されている。即ち、前面では、吸音材４１、４３、４５、４７は圧縮されていて、吸音材は高密度である。これに対して、フレームの背面では、吸音材は圧縮されておらず、吸音材は低密度である。即ち、吸音材４１、４３、４５、４７の入射面４２から背面４４に向かって、吸音材の密度が連続的に低下している。
【００５７】
図３Ａ及び図３Ｂの実施形態では、フレームの前面では、その一部が吸音材４１、４３、４５、４７で充填されている。これに対して、フレームの背面２８では、その全体が吸音材４１、４３、４５、４７で充填されている。
【００５８】
図４Ａ及び図４Ｂは、それぞれ、本発明の他の実施態様の吸音構造体を示す断面図及び正面図である。この実施態様では、隔壁３２、３４は側面２４側に膨らみ、隔壁３８、隔壁３９は側面２６側に膨らんでいる。そして、隔壁３６は、側面２４と側面２６との中心にて平面形状をしている。隣接する隔壁の間隔は、フレームの前面から中央部に向かって連続的に広くなり、フレームの中央部から背面２８に向かって連続的に狭くなっている。
【００５９】
隣接する隔壁の間に、吸音材４１、４３、４５、４７が保持されている。即ち、隔壁３２と隔壁３４の間に吸音材４１が保持されている。隔壁３４と隔壁３６の間に吸音材４３が保持されている。隔壁３６と隔壁３８の間に吸音材４５が保持されている。隔壁３８と隔壁３９の間に吸音材４７が保持されている。
【００６０】
吸音材は、伸縮されていない状態では、実質的に均一な密度である。従って、フレームの中央部から前面及び背面に向かって、吸音材４１、４３、４５、４７は、圧縮されている。即ち、前面では、吸音材４１、４３、４５、４７は圧縮されていて、吸音材は高密度である。そして、中央部では、吸音材４１、４３、４５、４７は圧縮されておらず、吸音材は低密度である。更に、背面では、吸音材は圧縮されていて、吸音材は高密度である。即ち、吸音材４１、４３、４５、４７の入射面４２から中央部に向かって、吸音材の密度が連続的に低下していて、中央部から背面４４に向かって、吸音材の密度が連続的に上昇している。
【００６１】
フレームの側面２４と隔壁３２とが中央部にて接触していて、背後空気層５２が形成されている。また、フレームの側面２６と隔壁３９とが中央部にて接触していて、背後空気層５４が形成されている。
【００６２】
図４Ａ及び図４Ｂの実施形態では、フレームの前面では、その一部が吸音材４１、４３、４５、４７で充填されている。また、フレームの背面２８では、その一部が吸音材４１、４３、４５、４７で充填されている。
【００６３】
図５Ａ及び図５Ｂは、それぞれ、本発明の他の実施態様の吸音構造体を示す断面図及び正面図である。この実施態様では、隔壁３２、３４、３６、３８が、平面形状をしていて、隣接する隔壁の間隔は、フレームの前面から背面に向かって連続的に狭くなっている。
【００６４】
隣接する隔壁の間に、吸音材４１、４３、４５、４７が保持されている。即ち、隔壁３２と隔壁３４の間に吸音材４１が保持されている。隔壁３４と隔壁３６の間に吸音材４３が保持されている。隔壁３６と隔壁３８の間に吸音材４５が保持されている。隔壁３８とフレームの側面２６の間に吸音材４７が保持されている。この実施態様では、フレームの側面２６が隔壁の役割もしている。
【００６５】
吸音材４１、４３、４５、４７は、伸縮されていない状態では、実質的に均一な密度である。従って、フレームの前面から背面に向かって、吸音材４１、４３、４５、４７は、圧縮されている。即ち、フレームの前面では、吸音材４１、４３、４５、４７は圧縮されておらず、吸音材は低密度である。これに対して、フレームの背面では、吸音材は圧縮されていて、吸音材は高密度である。即ち、吸音材４１、４３、４５、４７の入射面４２から背面４４に向かって、吸音材の密度が連続的に上昇している。
【００６６】
フレームの側面２４と隔壁３２とがフレームの前面にて接触していて、フレームと隔壁と３２の間に背後空気層５２が形成されている。
【００６７】
図５Ａ及び図５Ｂの実施形態では、フレームの前面では、その全部が吸音材４１、４３、４５、４７で充填されている。また、フレームの背面２８では、その一部が、特に側面２６側が吸音材４１、４３、４５、４７で充填されている。
【００６８】
図６Ａ及び図６Ｂは、それぞれ、本発明の他の実施態様の吸音構造体を示す断面図及び正面図である。この実施態様では、隔壁３２、３４、３６、３８が、平面形状をしていて、隣接する隔壁の間隔は、フレームの前面から背面２８に向かって連続的に広くなっている。
【００６９】
隣接する隔壁の間に、吸音材４１、４３、４５、４７が保持されている。即ち、隔壁３２と隔壁３４の間に吸音材４１が保持されている。隔壁３４と隔壁３６の間に吸音材４３が保持されている。隔壁３６と隔壁３８の間に吸音材４５が保持されている。隔壁３８とフレームの側面２６の間に吸音材４７が保持されている。この実施態様では、フレームの側面２６が隔壁の役割もしている。
【００７０】
吸音材４１、４３、４５、４７は、伸縮されていない状態では、実質的に均一な密度である。従って、フレームの背面２８から前面に向かって、吸音材４１、４３、４５、４７は、圧縮されている。即ち、前面では、吸音材４１、４３、４５、４７は圧縮されていて、吸音材は高密度である。これに対して、フレームの背面では、吸音材は圧縮されておらず、吸音材は低密度である。即ち、吸音材４１、４３、４５、４７の入射面４２から背面４４に向かって、吸音材の密度が連続的に低下している。
【００７１】
図６Ａ及び図６Ｂの実施形態では、フレームの前面では、その一部、特に側面２６側が吸音材４１、４３、４５、４７で充填されている。また、フレームの背面２８では、その全てが吸音材４１、４３、４５、４７で充填されている。
【００７２】
図７Ａ及び図７Ｂは、それぞれ、本発明の他の実施態様の吸音構造体を示す断面図及び正面図である。この実施態様では、隔壁３２、３４、３８、３９は隔壁３６側に窪んだ曲面形状をしている。そして、隔壁３６は、側面２４と側面２６との中心にて平面形状をしている。隣接する隔壁の間隔は、フレームの前面から中央部に向かって連続的に狭くなり、フレームの中央部から背面２８に向かって連続的に広くなっている。
【００７３】
隣接する隔壁の間に、吸音材４１、４３、４５、４７が保持されている。即ち、隔壁３２と隔壁３４の間に吸音材４１が保持されている。隔壁３４と隔壁３６の間に吸音材４３が保持されている。隔壁３６と隔壁３８の間に吸音材４５が保持されている。隔壁３８と隔壁３９の間に吸音材４７が保持されている。
【００７４】
吸音材は、伸縮されていない状態では、実質的に均一な密度である。従って、フレームの前面及び背面から中央部に向かって、吸音材４１、４３、４５、４７は、圧縮されている。即ち、前面では、吸音材４１、４３、４５、４７は圧縮されておらず、吸音材は低密度である。そして、中央部では、吸音材４１、４３、４５、４７は圧縮されていて、吸音材は高密度である。更に、背面では、吸音材は圧縮されておらず、吸音材は低密度である。即ち、吸音材４１、４３、４５、４７の入射面４２から中央部に向かって、吸音材の密度が連続的に上昇していて、中央部から背面４４に向かって、吸音材の密度が連続的に低下している。
【００７５】
フレームの側面２４と隔壁３２とがフレームの前面及び背面２８にて接触していて、空気層５６が形成されている。また、フレームの側面２６と隔壁３９とがフレームの前面及び背面２８にて接触していて、空気層５８が形成されている。
【００７６】
図７Ａ及び図７Ｂの実施形態では、フレームの前面では、その全てが吸音材４１、４３、４５、４７で充填されている。また、フレームの背面２８では、その全てが吸音材４１、４３、４５、４７で充填されている。
【００７７】
図８Ａ及び図８Ｂは、それぞれ、本発明の他の実施態様の吸音構造体を示す断面図及び正面図である。この実施態様では、隔壁３２、３４、３８、３９は隔壁３６側に窪んだ曲面形状をしている。そして、隔壁３６は、側面２４と側面２６との中心にて平面形状をしている。隣接する隔壁の間隔は、フレームの前面から中央部に向かって連続的に狭くなっている。隔壁３２と隔壁３４との間隔、及び、隔壁３８と隔壁３９との間隔は、フレームの中央部から背面２８に向かってほぼ一定である。隔壁３４と隔壁３６との間隔、及び、隔壁３６と隔壁３８との間隔は、フレームの中央部から背面２８に向かって広くなっている。
【００７８】
隣接する隔壁の間に、吸音材４１、４３、４５、４７が保持されている。即ち、隔壁３２と隔壁３４の間に吸音材４１が保持されている。隔壁３４と隔壁３６の間に吸音材４３が保持されている。隔壁３６と隔壁３８の間に吸音材４５が保持されている。隔壁３８と隔壁３９の間に吸音材４７が保持されている。
【００７９】
吸音材は、伸縮されていない状態では、実質的に均一な密度である。従って、フレームの前面から中央部に向かって、吸音材４１、４３、４５、４７は、圧縮されている。フレームの中央部から背面に向かって、吸音材４１、４７は、ほぼ同程度に圧縮されている。フレームの中央部から背面に向かって、吸音材４３、４５は、伸張されている。即ち、前面では、吸音材４１、４３、４５、４７は圧縮されておらず、吸音材は低密度である。そして、中央部では、吸音材４１、４３、４５、４７は圧縮されていて、吸音材は高密度である。更に、背面では、吸音材４３、４５は圧縮されておらず、吸音材は低密度である。また、背面では、吸音材４１、４７は、圧縮されていて、吸音材は高密度である。即ち、吸音材４１、４３、４５、４７の入射面４２から中央部に向かって、吸音材４１、４３、４５、４７の密度が連続的に上昇している。中央部から背面４４に向かって、吸音材４１、４７の密度はほぼ一定であり、吸音材４３、４５の密度は連続的に低下している。
【００８０】
隔壁３２が、フレームの側面２４とフレームの前面にて接触していて、また、フレームの背面２８とも接触していて、空気層５６が形成されている。隔壁３９が、フレームの側面２６とフレームの前面にて接触していて、また、フレームの背面２８とも接触していて、空気層５８が形成されている。
【００８１】
図８Ａ及び図８Ｂの実施形態では、フレームの前面では、その全てが吸音材４１、４３、４５、４７で充填されている。また、フレームの背面２８では、その一部が吸音材４１、４３、４５、４７で充填されている。
【００８２】
図９Ａ及び図９Ｂは、それぞれ、本発明の他の実施態様の吸音構造体を示す断面図及び正面図である。この実施態様では、隔壁３２、３４、３８、３９は隔壁３６側に窪んだ曲面形状をしている。そして、隔壁３６は、側面２４と側面２６との中心にて平面形状をしている。隔壁３２と隔壁３４との間隔、及び、隔壁３８と隔壁３９との間隔は、フレームの前面から中央部に向かってほぼ一定である。隔壁３４と隔壁３６との間隔、及び、隔壁３６と隔壁３８との間隔は、フレームの前面から中央部に向かって狭くなっている。隣接する隔壁の間隔は、フレームの中央部から背面２８に向かって連続的に広くなっている。
【００８３】
隣接する隔壁の間に、吸音材４１、４３、４５、４７が保持されている。即ち、隔壁３２と隔壁３４の間に吸音材４１が保持されている。隔壁３４と隔壁３６の間に吸音材４３が保持されている。隔壁３６と隔壁３８の間に吸音材４５が保持されている。隔壁３８と隔壁３９の間に吸音材４７が保持されている。
【００８４】
吸音材は、伸縮されていない状態では、実質的に均一な密度である。従って、フレームの前面から中央部に向かって、吸音材４１、４７は、ほぼ同程度に圧縮されている。フレームの前面から中央部に向かって、吸音材４３、４５は、圧縮されている。フレームの中央部から背面に向かって、吸音材４１、４３、４５、４７は、伸張されている。即ち、前面では、吸音材４３、４５は圧縮されておらず、吸音材は低密度である。また、前面では、吸音材４１、４７は、圧縮されていて、吸音材は高密度である。そして、中央部では、吸音材４１、４３、４５、４７は圧縮されていて、吸音材は高密度である。更に、背面では、吸音材４１、４３、４５、４７は圧縮されておらず、吸音材は低密度である。即ち、前面から中央部に向かって、吸音材４１、４７の密度はほぼ一定であり、吸音材４３、４５の密度は連続的に上昇している。吸音材４１、４３、４５、４７の中央部から背面に向かって、吸音材の密度が連続的に低下している。
【００８５】
フレームの側面２４と隔壁３２とがフレームの背面２８にて接触している。また、フレームの側面２６と隔壁３９とがフレームの背面２８にて接触している。
【００８６】
図９Ａ及び図９Ｂの実施形態では、フレームの前面では、その一部が吸音材４１、４３、４５、４７で充填されている。また、フレームの背面２８では、その全てが吸音材４１、４３、４５、４７で充填されている。
【００８７】
図１０Ａ及び図１０Ｂは、それぞれ、本発明の他の実施態様の吸音構造体を示す断面図及び正面図である。この実施態様では、隔壁３２、３４、３８、３９は隔壁３６側に折れ曲がった平面形状をしている。そして、隔壁３６は、側面２４と側面２６との中心にて平面形状をしている。隣接する隔壁の間隔は、フレームの前面から中央部に向かって連続的に狭くなり、フレームの中央部から背面２８に向かって連続的に広くなっている。
【００８８】
隣接する隔壁の間に、吸音材４１、４３、４５、４７が保持されている。即ち、隔壁３２と隔壁３４の間に吸音材４１が保持されている。隔壁３４と隔壁３６の間に吸音材４３が保持されている。隔壁３６と隔壁３８の間に吸音材４５が保持されている。隔壁３８と隔壁３９の間に吸音材４７が保持されている。
【００８９】
吸音材は、伸縮されていない状態では、実質的に均一な密度である。従って、フレームの前面及び背面から中央部に向かって、吸音材４１、４３、４５、４７は、圧縮されている。即ち、前面では、吸音材４１、４３、４５、４７は圧縮されておらず、吸音材は低密度である。そして、中央部では、吸音材４１、４３、４５、４７は圧縮されていて、吸音材は高密度である。更に、背面では、吸音材は圧縮されておらず、吸音材は低密度である。即ち、吸音材４１、４３、４５、４７の入射面４２から中央部に向かって、吸音材の密度が連続的に上昇していて、中央部から背面４４に向かって、吸音材の密度が連続的に低下している。
【００９０】
フレームの側面２４と隔壁３２とがフレームの前面及び背面２８にて接触していて、空気層５６が形成されている。また、フレームの側面２６と隔壁３９とがフレームの前面及び背面２８にて接触していて、空気層５８が形成されている。
【００９１】
図１０Ａ及び図１０Ｂの実施形態では、フレームの前面では、その全てが吸音材４１、４３、４５、４７で充填されている。また、フレームの背面２８では、その全てが吸音材４１、４３、４５、４７で充填されている。
【００９２】
図１１Ａ及び図１１Ｂは、それぞれ、本発明の他の実施態様の吸音構造体を示す断面図及び正面図である。この実施態様では、隔壁３２、３４、３８、３９は隔壁３６側に折れ曲がった平面形状をしている。そして、隔壁３６は、側面２４と側面２６との中心にて平面形状をしている。隣接する隔壁の間隔は、フレームの前面から中央部に向かって連続的に狭くなり、フレームの中央部から背面２８に向かって連続的に広くなっている。
【００９３】
隣接する隔壁の間に、吸音材４１、４３、４５、４７が保持されている。即ち、隔壁３２と隔壁３４の間に吸音材４１が保持されている。隔壁３４と隔壁３６の間に吸音材４３が保持されている。隔壁３６と隔壁３８の間に吸音材４５が保持されている。隔壁３８と隔壁３９の間に吸音材４７が保持されている。
【００９４】
吸音材は、伸縮されていない状態では、実質的に均一な密度である。従って、フレームの前面及び背面から中央部に向かって、吸音材４１、４３、４５、４７は、圧縮されている。即ち、前面では、吸音材４１、４３、４５、４７は圧縮されておらず、吸音材は低密度である。そして、中央部では、吸音材４１、４３、４５、４７は圧縮されていて、吸音材は高密度である。更に、背面では、吸音材は圧縮されておらず、吸音材は低密度である。即ち、吸音材４１、４３、４５、４７の入射面４２から中央部に向かって、吸音材の密度が連続的に上昇していて、中央部から背面４４に向かって、吸音材の密度が連続的に低下している。
【００９５】
フレームの側面２４と隔壁３２とがフレームの前面及び背面２８にて接触していて、空気層５６が形成されている。また、フレームの側面２６と隔壁３９とがフレームの前面及び背面２８にて接触していて、空気層５８が形成されている。
【００９６】
図１１Ａ及び図１１Ｂの実施形態では、フレームの前面では、その全てが吸音材４１、４３、４５、４７で充填されている。また、フレームの背面２８では、その全てが吸音材４１、４３、４５、４７で充填されている。
【００９７】
図１２Ａ及び図１２Ｂは、それぞれ、本発明の他の実施態様の吸音構造体を示す断面図及び正面図である。この実施態様では、隔壁３２、３４、３８、３９は隔壁３６側に折れ曲がった平面形状をしている。そして、隔壁３６は、側面２４と側面２６との中心にて平面形状をしている。隣接する隔壁の間隔は、フレームの前面から中央部に向かって連続的に狭くなり、フレームの中央部から背面２８に向かって連続的に広くなっている。
【００９８】
隣接する隔壁の間に、吸音材４１、４３、４５、４７が保持されている。即ち、隔壁３２と隔壁３４の間に吸音材４１が保持されている。隔壁３４と隔壁３６の間に吸音材４３が保持されている。隔壁３６と隔壁３８の間に吸音材４５が保持されている。隔壁３８と隔壁３９の間に吸音材４７が保持されている。
【００９９】
吸音材は、伸縮されていない状態では、実質的に均一な密度である。従って、フレームの前面及び背面から中央部に向かって、吸音材４１、４３、４５、４７は、圧縮されている。即ち、前面では、吸音材４１、４３、４５、４７は圧縮されておらず、吸音材は低密度である。そして、中央部では、吸音材４１、４３、４５、４７は圧縮されていて、吸音材は高密度である。更に、背面では、吸音材は圧縮されておらず、吸音材は低密度である。即ち、吸音材４１、４３、４５、４７の入射面４２から中央部に向かって、吸音材の密度が連続的に上昇していて、中央部から背面４４に向かって、吸音材の密度が連続的に低下している。
【０１００】
フレームの側面２４と隔壁３２とがフレームの前面及び背面２８にて接触していて、空気層５６が形成されている。また、フレームの側面２６と隔壁３９とがフレームの前面及び背面２８にて接触していて、空気層５８が形成されている。
【０１０１】
図１２Ａ及び図１２Ｂの実施形態では、フレームの前面では、その全てが吸音材４１、４３、４５、４７で充填されている。また、フレームの背面２８では、その全てが吸音材４１、４３、４５、４７で充填されている。
【０１０２】
本発明の他の側面では、積層吸音構造体が提供される。図１３は、本発明の一実施形態の積層吸音構造体を示す正面図である。積層吸音構造体７０は、吸音構造体７２と、吸音構造体７４と、吸音構造体７６とを積層したものである。吸音構造体７２のフレームの上面と、吸音構造体７４のフレームの下面とは、別個の部材であってもよい。同様に、吸音構造体７４のフレームの上面と、吸音構造体７６のフレームの下面とは、別個の部材であってもよい。あるいは、吸音構造体７２のフレームの上面と、吸音構造体７４のフレームの下面とは、同一の部材で共用されていてもよい。同様に、吸音構造体７４のフレームの上面と、吸音構造体７６のフレームの下面とは、同一の部材で共用されていてもよい。
【０１０３】
吸音構造体７２、吸音構造体７４及び吸音構造体７６は、同一又は異なって、それぞれ、図１の実施形態の吸音構造体、図２Ａ及び図２Ｂの実施形態の吸音構造体、図５Ａ及び図５Ｂの実施形態の吸音構造体、図７Ａ及び図７Ｂの実施形態の吸音構造体、図８Ａ及び図８Ｂの実施形態の吸音構造体、図１０Ａ及び図１０Ｂの実施形態の吸音構造体、図１１Ａ及び図１１Ｂの実施形態の吸音構造体、又は、図１２Ａ及び図１２Ｂの実施形態の吸音構造体であってもよい。
【０１０４】
例えば、吸音構造体７２、吸音構造体７４及び吸音構造体７６は、何れも、図１の実施形態の吸音構造体である。あるいは、吸音構造体７２、吸音構造体７４及び吸音構造体７６は、何れも、図２Ａ及び図２Ｂの実施形態の吸音構造体である。あるいは、吸音構造体７２、吸音構造体７４及び吸音構造体７６は、何れも、図５Ａ及び図５Ｂの実施形態の吸音構造体である。あるいは、吸音構造体７２、吸音構造体７４及び吸音構造体７６は、何れも、図７Ａ及び図７Ｂの実施形態の吸音構造体である。あるいは、吸音構造体７２、吸音構造体７４及び吸音構造体７６は、何れも、図８Ａ及び図８Ｂの実施形態の吸音構造体である。あるいは、吸音構造体７２、吸音構造体７４及び吸音構造体７６は、何れも、図１０Ａ及び図１０Ｂの実施形態の吸音構造体である。あるいは、吸音構造体７２、吸音構造体７４及び吸音構造体７６は、何れも、図１１Ａ及び図１１Ｂの実施形態の吸音構造体である。あるいは、吸音構造体７２、吸音構造体７４及び吸音構造体７６は、何れも、図１２Ａ及び図１２Ｂの実施形態の吸音構造体である。
【０１０５】
例えば、吸音構造体７２及び吸音構造体７４は、何れも、図１の実施形態の吸音構造体であり、吸音構造体７６は、図７Ａ及び図７Ｂの吸音構造体である。あるいは、吸音構造体７２及び吸音構造体７４は、何れも、図２Ａ及び図２Ｂの実施形態の吸音構造体であり、吸音構造体７６は、図１の吸音構造体である。あるいは、吸音構造体７２及び吸音構造体７６は、何れも、図１の吸音構造体であり、吸音構造体７４は、図５Ａ及び図５Ｂの実施形態の吸音構造体である。あるいは、吸音構造体７４及び吸音構造体７６は、何れも、図１の吸音構造体であり、吸音構造体７２は、図７Ａ及び図７Ｂの実施形態の吸音構造体である。あるいは、吸音構造体７２及び吸音構造体７４は、何れも、図８Ａ及び図８Ｂの実施形態の吸音構造体であり、吸音構造体７６は、図２Ａ及び図２Ｂの実施形態の吸音構造体である。あるいは、吸音構造体７２及び吸音構造体７４は、何れも、図１０Ａ及び図１０Ｂの実施形態の吸音構造体であり、吸音構造体７６は、図１の実施形態の吸音構造体である。あるいは、吸音構造体７４及び吸音構造体７６は、何れも、図１１Ａ及び図１１Ｂの実施形態の吸音構造体であり、吸音構造体７２は、図２Ａ及び図２Ｂの実施形態の吸音構造体である。
【０１０６】
例えば、吸音構造体７２は、図１の実施形態の吸音構造体であり、吸音構造体７４は、図２Ａ及び図２Ｂの実施形態の吸音構造体であり、吸音構造体７６は、図５Ａ及び図５Ｂの実施形態の吸音構造体である。あるいは、吸音構造体７２は、図７Ａ及び図７Ｂの実施形態の吸音構造体であり、吸音構造体７４は、図８Ａ及び図８Ｂの実施形態の吸音構造体であり、吸音構造体７６は、図１０Ａ及び図１０Ｂの実施形態の吸音構造体である。
【０１０７】
吸音構造体７２と吸音構造体７４とは、又は、吸音構造体７４と吸音構造体７６とは、公知の方法で接合する。例えば、接着剤で接合してもよい。あるいは、下段の吸音構造体中のピンをフレームの上面を貫通するようにし、上段の吸音構造体のピンと、共用してもよい。あるいは、直方体形状の枠を形成し、その枠内に複数の吸音構造体を設置してもよい（＊どのように接合するのか、適宜、補充、訂正おねがいいたします。）また、他の積層吸音構造体も、吸音構造体同士を公知の方法で接合することができる。
【０１０８】
図１４は、本発明の他の実施形態の積層吸音構造体を示す正面図である。積層吸音構造体８０は、吸音構造体８２と、吸音構造体８４と、吸音構造体８６とを積層したものである。吸音構造体８２のフレームの上面と、吸音構造体８４のフレームの下面とは、別個の部材であってもよい。同様に、吸音構造体８４のフレームの上面と、吸音構造体８６のフレームの下面とは、別個の部材であってもよい。あるいは、吸音構造体８２のフレームの上面と、吸音構造体８４のフレームの下面とは、同一の部材で共用されていてもよい。同様に、吸音構造体８４のフレームの上面と、吸音構造体８６のフレームの下面とは、同一の部材で共用されていてもよい。
【０１０９】
吸音構造体８２、吸音構造体８４及び吸音構造体８６は、同一又は異なって、それぞれ、図３Ａ及び図３Ｂの実施形態の吸音構造体、又は、図４Ａ及び図４Ｂの実施形態の吸音構造体であってもよい。
【０１１０】
例えば、吸音構造体８２、吸音構造体８４及び吸音構造体８６は、何れも、図３Ａ及び図３Ｂの実施形態の吸音構造体であってもよい。また、吸音構造体８２、吸音構造体８４及び吸音構造体８６は、何れも、図４Ａ及び図４Ｂの実施形態の吸音構造体であってもよい。
【０１１１】
例えば、吸音構造体８２及び吸音構造体８４は、それぞれ、図３Ａ及び図３Ｂの実施形態の吸音構造体であり、吸音構造体８６は、図４Ａ及び図４Ｂの実施形態の吸音構造体である。あるいは、吸音構造体８２は、図３Ａ及び図３Ｂの実施形態の吸音構造体であり、吸音構造体８４及び吸音構造体８６は、図４Ａ及び図４Ｂの実施形態の吸音構造体である。
【０１１２】
図１５は、本発明の他の実施形態の積層吸音構造体を示す正面図である。積層吸音構造体９０は、吸音構造体９２と、吸音構造体９４と、吸音構造体９６とを積層したものである。吸音構造体９２のフレームの上面と、吸音構造体９４のフレームの下面とは、別個の部材であってもよい。同様に、吸音構造体９４のフレームの上面と、吸音構造体９６のフレームの下面とは、別個の部材であってもよい。あるいは、吸音構造体９２のフレームの上面と、吸音構造体９４のフレームの下面とは、同一の部材で共用されていてもよい。同様に、吸音構造体９４のフレームの上面と、吸音構造体９６のフレームの下面とは、同一の部材で共用されていてもよい。
【０１１３】
吸音構造体９２、吸音構造体９４及び吸音構造体９６は、例えば、図６Ａ及び図６Ｂの実施態様の吸音構造体である。吸音構造体９２、吸音構造体９４及び吸音構造体９６は、例えば、図６Ａ及び図６Ｂの実施態様の吸音構造体の隔壁３２、隔壁３４、隔壁３６及び隔壁３８の少なくとも一つを曲面形状に変形したものである。
【０１１４】
図１６は、本発明の他の実施形態の積層吸音構造体を示す正面図である。積層吸音構造体１００は、吸音構造体１０２と、吸音構造体１０４と、吸音構造体１０６とを積層したものである。吸音構造体１０２のフレームの上面と、吸音構造体１０４のフレームの下面とは、別個の部材であってもよい。同様に、吸音構造体１０４のフレームの上面と、吸音構造体１０６のフレームの下面とは、別個の部材であってもよい。あるいは、吸音構造体１０２のフレームの上面と、吸音構造体１０４のフレームの下面とは、同一の部材で共用されていてもよい。同様に、吸音構造体１０４のフレームの上面と、吸音構造体１０６のフレームの下面とは、同一の部材で共用されていてもよい。
【０１１５】
吸音構造体１０２及び吸音構造体１０６は、同一又は異なって、それぞれ、図１の実施形態の吸音構造体、図２Ａ及び図２Ｂの実施形態の吸音構造体、図５Ａ及び図５Ｂの実施形態の吸音構造体、図７Ａ及び図７Ｂの実施形態の吸音構造体、図８Ａ及び図８Ｂの実施形態の吸音構造体、図１０Ａ及び図１０Ｂの実施形態の吸音構造体、図１１Ａ及び図１１Ｂの実施形態の吸音構造体、又は、図１２Ａ及び図１２Ｂの実施形態の吸音構造体であってもよい。
【０１１６】
吸音構造体１０４は、例えば、図６Ａ及び図６Ｂの実施態様の吸音構造体であり、あるいは、図６Ａ及び図６Ｂの実施態様の吸音構造体の隔壁３２、隔壁３４、隔壁３６及び隔壁３８の少なくとも一つを曲面形状に変形したものである。
【０１１７】
例えば、吸音構造体１０２は、図１の実施形態の吸音構造体であり、吸音構造体１０４は、図６Ａ及び図６Ｂの実施態様の吸音構造体であり、吸音構造体１０６は、図１の実施形態の吸音構造体である。あるいは、吸音構造体１０２は、図１の実施形態の吸音構造体であり、吸音構造体１０４は、図６Ａ及び図６Ｂの実施態様の吸音構造体であり、吸音構造体１０６は、図２Ａ及び図２Ｂの実施形態の吸音構造体である。あるいは、吸音構造体１０２は、図５Ａ及び図５Ｂの実施形態の吸音構造体であり、吸音構造体１０４は、図６Ａ及び図６Ｂの実施態様の吸音構造体であり、吸音構造体１０６は、図１の実施形態の吸音構造体である。あるいは、吸音構造体１０２は、図７Ａ及び図７Ｂの実施形態の吸音構造体であり、吸音構造体１０４は、図６Ａ及び図６Ｂの実施形態の吸音構造体であり、吸音構造体１０６は、図１０Ａ及び図１０Ｂの実施形態の吸音構造体である。
【０１１８】
図１７は、本発明の他の実施形態の積層吸音構造体を示す正面図である。積層吸音構造体１１０は、吸音構造体１１２と、吸音構造体１１４と、吸音構造体１１６とを積層したものである。吸音構造体１１２のフレームの上面と、吸音構造体１１４のフレームの下面とは、別個の部材であってもよい。同様に、吸音構造体１１４のフレームの上面と、吸音構造体１１６のフレームの下面とは、別個の部材であってもよい。あるいは、吸音構造体１１２のフレームの上面と、吸音構造体１１４のフレームの下面とは、同一の部材で共用されていてもよい。同様に、吸音構造体１１４のフレームの上面と、吸音構造体１１６のフレームの下面とは、同一の部材で共用されていてもよい。
【０１１９】
吸音構造１１２及び吸音構造体１１６は、同一又は異なって、それぞれ、図３Ａ及び図３Ｂの実施形態の吸音構造体、又は、図４Ａ及び図４Ｂの実施形態の吸音構造体であってもよい。
【０１２０】
吸音構造体１１４は、図１の実施形態の吸音構造体、図２Ａ及び図２Ｂの実施形態の吸音構造体、図５Ａ及び図５Ｂの実施形態の吸音構造体、図７Ａ及び図７Ｂの実施形態の吸音構造体、図８Ａ及び図８Ｂの実施形態の吸音構造体、図１０Ａ及び図１０Ｂの実施形態の吸音構造体、図１１Ａ及び図１１Ｂの実施形態の吸音構造体、又は、図１２Ａ及び図１２Ｂの実施形態の吸音構造体であってもよい。
【０１２１】
例えば、吸音構造体１１２は、図３Ａ及び図３Ｂの実施形態の吸音構造体であり、吸音構造体１１４は、図１の実施形態の吸音構造体であり、吸音構造体１１６は、図４Ａ及び図４Ｂの実施形態の吸音構造体である。あるいは、吸音構造体１１２は、図３Ａ及び図３Ｂの実施形態の吸音構造体であり、吸音構造体１１４は、図５Ａ及び図５Ｂの実施形態の吸音構造体であり、吸音構造体１１６は、図３Ａ及び図３Ｂの実施形態の吸音構造体である。
【０１２２】
図１８は、本発明の他の実施形態の積層吸音構造体を示す正面図である。積層吸音構造体１２０は、吸音構造体１２２と、吸音構造体１２４と、吸音構造体１２６とを積層したものである。吸音構造体１２２のフレームの上面と、吸音構造体１２４のフレームの下面とは、別個の部材であってもよい。同様に、吸音構造体１２４のフレームの上面と、吸音構造体１２６のフレームの下面とは、別個の部材であってもよい。あるいは、吸音構造体１２２のフレームの上面と、吸音構造体１２４のフレームの下面とは、同一の部材で共用されていてもよい。同様に、吸音構造体１２４のフレームの上面と、吸音構造体１２６のフレームの下面とは、同一の部材で共用されていてもよい。
【０１２３】
吸音構造体１２２及び吸音構造体１２６は、例えば、図６Ａ及び図６Ｂの実施態様の吸音構造体である。吸音構造体１２２及び吸音構造体１２６は、例えば、図６Ａ及び図６Ｂの実施態様の吸音構造体の隔壁３２、隔壁３４、隔壁３６及び隔壁３８の少なくとも一つを曲面形状に変形したものである。
【０１２４】
吸音構造体１２４は、図１の実施形態の吸音構造体、図２Ａ及び図２Ｂの実施形態の吸音構造体、図５Ａ及び図５Ｂの実施形態の吸音構造体、図７Ａ及び図７Ｂの実施形態の吸音構造体、図８Ａ及び図８Ｂの実施形態の吸音構造体、図１０Ａ及び図１０Ｂの実施形態の吸音構造体、図１１Ａ及び図１１Ｂの実施形態の吸音構造体、又は、図１２Ａ及び図１２Ｂの実施形態の吸音構造体であってもよい。
【０１２５】
例えば、吸音構造体１２２は、図６Ａ及び図６Ｂの実施態様の吸音構造体であり、吸音構造体１２４は、図１の実施形態の吸音構造体であり、吸音構造体１２６は、図６Ａ及び図６Ｂの実施態様の吸音構造体である。あるいは、吸音構造体１２２は、図６Ａ及び図６Ｂの実施態様の吸音構造体であり、吸音構造体１２４は、図５Ａ及び図５Ｂの実施形態の吸音構造体であり、吸音構造体１２６は、図６Ａ及び図６Ｂの実施態様の吸音構造体である。あるいは、吸音構造体１２２は、図６Ａ及び図６Ｂの実施態様の吸音構造体であり、吸音構造体１２４は、図７Ａ及び図７Ｂの実施形態の吸音構造体であり、吸音構造体１２６は、図６Ａ及び図６Ｂの実施態様の吸音構造体である。あるいは、吸音構造体１２２は、図６Ａ及び図６Ｂの実施態様の吸音構造体の隔壁３２、隔壁３４、隔壁３６及び隔壁３８の少なくとも一つを曲面形状に変形したものであり、吸音構造体１２４は、図８Ａ及び図８Ｂの実施形態の吸音構造体であり、吸音構造体１２６は、図６Ａ及び図６Ｂの実施態様の吸音構造体である。
【０１２６】
図１９は、本発明の他の実施形態の積層吸音構造体を示す正面図である。積層吸音構造体１３０は、吸音構造体１３２と、吸音構造体１３４と、吸音構造体１３６とを積層したものである。吸音構造体１３２のフレームの上面と、吸音構造体１３４のフレームの下面とは、別個の部材であってもよい。同様に、吸音構造体１３４のフレームの上面と、吸音構造体１３６のフレームの下面とは、別個の部材であってもよい。あるいは、吸音構造体１３２のフレームの上面と、吸音構造体１３４のフレームの下面とは、同一の部材で共用されていてもよい。同様に、吸音構造体１３４のフレームの上面と、吸音構造体１３６のフレームの下面とは、同一の部材で共用されていてもよい。
【０１２７】
吸音構造体１３２及び吸音構造体１３６は、同一又は異なって、それぞれ、図１の実施形態の吸音構造体、図２Ａ及び図２Ｂの実施形態の吸音構造体、図５Ａ及び図５Ｂの実施形態の吸音構造体、図７Ａ及び図７Ｂの実施形態の吸音構造体、図８Ａ及び図８Ｂの実施形態の吸音構造体、図１０Ａ及び図１０Ｂの実施形態の吸音構造体、図１１Ａ及び図１１Ｂの実施形態の吸音構造体、又は、図１２Ａ及び図１２Ｂの実施形態の吸音構造体であってもよい。吸音構造体１３４は、図３Ａ及び図３Ｂの実施形態の吸音構造体、又は、図４Ａ及び図４Ｂの実施形態の吸音構造体であってもよい。
【０１２８】
例えば、吸音構造体１３２は、図１の実施形態の吸音構造体であり、吸音構造体１３４は、図３Ａ及び図３Ｂの実施形態の吸音構造体であり、吸音構造体１３６は、図２Ａ及び図２Ｂの実施形態の吸音構造体である。あるいは、吸音構造体１３２は、図５Ａ及び図５Ｂの実施形態の吸音構造体であり、吸音構造体１３４は、図３Ａ及び図３Ｂの実施形態の吸音構造体であり、吸音構造体１３６は、図５Ａ及び図５Ｂの実施形態の吸音構造体である。あるいは、吸音構造体１３２は、図７Ａ及び図７Ｂの実施形態の吸音構造体であり、吸音構造体１３４は、図４Ａ及び図４Ｂの実施形態の吸音構造体であり、吸音構造体１３６は、図８Ａ及び図８Ｂの実施形態の吸音構造体である。あるいは、吸音構造体１３２は、図５Ａ及び図５Ｂの実施形態の吸音構造体であり、吸音構造体１３４は、図３Ａ及び図３Ｂの実施形態の吸音構造体であり、吸音構造体１３６は、図１０Ａ及び図１０Ｂの実施形態の吸音構造体である。
【０１２９】
図２０は、本発明の他の実施形態の積層吸音構造体を示す正面図である。積層吸音構造体１４０は、吸音構造体１４２と、吸音構造体１４４と、吸音構造体１４６とを積層したものである。吸音構造体１４２のフレームの上面と、吸音構造体１４４のフレームの下面とは、別個の部材であってもよい。同様に、吸音構造体１４４のフレームの上面と、吸音構造体１４６のフレームの下面とは、別個の部材であってもよい。あるいは、吸音構造体１４２のフレームの上面と、吸音構造体１４４のフレームの下面とは、同一の部材で共用されていてもよい。同様に、吸音構造体１４４のフレームの上面と、吸音構造体１４６のフレームの下面とは、同一の部材で共用されていてもよい。
【０１３０】
吸音構造体１４２及び吸音構造体１４４は、同一又は異なって、それぞれ、図３Ａ及び図３Ｂの実施形態の吸音構造体、又は、図４Ａ及び図４Ｂの実施形態の吸音構造体であってもよい。
【０１３１】
吸音構造体１４６は、図１の実施形態の吸音構造体、図２Ａ及び図２Ｂの実施形態の吸音構造体、図５Ａ及び図５Ｂの実施形態の吸音構造体、図７Ａ及び図７Ｂの実施形態の吸音構造体、図８Ａ及び図８Ｂの実施形態の吸音構造体、図１０Ａ及び図１０Ｂの実施形態の吸音構造体、図１１Ａ及び図１１Ｂの実施形態の吸音構造体、又は、図１２Ａ及び図１２Ｂの実施形態の吸音構造体であってもよい。
【０１３２】
例えば、吸音構造体１４２は、図３Ａ及び図３Ｂの実施形態の吸音構造体であり、吸音構造体１４４は、図３Ａ及び図３Ｂの実施形態の吸音構造体であり、吸音構造体１４６は、図１の実施形態の吸音構造体である。あるいは、吸音構造体１４２は、図４Ａ及び図４Ｂの実施形態の吸音構造体であり、吸音構造体１４４は、図３Ａ及び図３Ｂの実施形態の吸音構造体であり、吸音構造体１４６は、図５Ａ及び図５Ｂの実施形態の吸音構造体である。あるいは、吸音構造体１４２は、図４Ａ及び図４Ｂの実施形態の吸音構造体であり、吸音構造体１４４は、図４Ａ及び図４Ｂの実施形態の吸音構造体であり、吸音構造体１４６は、図７Ａ及び図７Ｂの実施形態の吸音構造体である。あるいは、吸音構造体１４２は、図３Ａ及び図３Ｂの実施形態の吸音構造体であり、吸音構造体１４４は、図３Ａ及び図３Ｂの実施形態の吸音構造体であり、吸音構造体１４６は、図８Ａ及び図８Ｂの実施形態の吸音構造体である。あるいは、吸音構造体１４２は、図４Ａ及び図４Ｂの実施形態の吸音構造体であり、吸音構造体１４４は、図３Ａ及び図３Ｂの実施形態の吸音構造体であり、吸音構造体１４６は、図１０Ａ及び図１０Ｂの実施形態の吸音構造体である。
【０１３３】
図２１は、本発明の他の実施形態の積層吸音構造体を示す正面図である。積層吸音構造体１５０は、吸音構造体１５２と、吸音構造体１５４と、吸音構造体１５６とを積層したものである。吸音構造体１５２のフレームの上面と、吸音構造体１５４のフレームの下面とは、別個の部材であってもよい。同様に、吸音構造体１５４のフレームの上面と、吸音構造体１５６のフレームの下面とは、別個の部材であってもよい。あるいは、吸音構造体１５２のフレームの上面と、吸音構造体１５４のフレームの下面とは、同一の部材で共用されていてもよい。同様に、吸音構造体１５４のフレームの上面と、吸音構造体１５６のフレームの下面とは、同一の部材で共用されていてもよい。
【０１３４】
吸音構造体１５２及び吸音構造体１５４は、例えば、図６Ａ及び図６Ｂの実施態様の吸音構造体である。吸音構造体１５２及び吸音構造体１５４は、例えば、図６Ａ及び図６Ｂの実施態様の吸音構造体の隔壁３２、隔壁３４、隔壁３６及び隔壁３８の少なくとも一つを曲面形状に変形したものである。
【０１３５】
吸音構造体１５６は、図１の実施形態の吸音構造体、図２Ａ及び図２Ｂの実施形態の吸音構造体、図５Ａ及び図５Ｂの実施形態の吸音構造体、図７Ａ及び図７Ｂの実施形態の吸音構造体、図８Ａ及び図８Ｂの実施形態の吸音構造体、図１０Ａ及び図１０Ｂの実施形態の吸音構造体、図１１Ａ及び図１１Ｂの実施形態の吸音構造体、又は、図１２Ａ及び図１２Ｂの実施形態の吸音構造体であってもよい。
【０１３６】
例えば、吸音構造体１５２は、図６Ａ及び図６Ｂの実施態様の吸音構造体であり、吸音構造体１５４は、図６Ａ及び図６Ｂの実施態様の吸音構造体であり、吸音構造体１５６は、図１の実施形態の吸音構造体である。あるいは、吸音構造体１５２は、図６Ａ及び図６Ｂの実施態様の吸音構造体であり、吸音構造体１５４は、図６Ａ及び図６Ｂの実施態様の吸音構造体であり、吸音構造体１５６は、図２Ａ及び図２Ｂの実施形態の吸音構造体である。あるいは、吸音構造体１５２は、図６Ａ及び図６Ｂの実施態様の吸音構造体であり、吸音構造体１５４は、図６Ａ及び図６Ｂの実施態様の吸音構造体であり、吸音構造体１５６は、図５Ａ及び図５Ｂの実施形態の吸音構造体である。あるいは、吸音構造体１５２は、図６Ａ及び図６Ｂの実施態様の吸音構造体であり、吸音構造体１５４は、図６Ａ及び図６Ｂの実施態様の吸音構造体であり、吸音構造体１５６は、図７Ａ及び図７Ｂの実施形態の吸音構造体である。あるいは、吸音構造体１５２は、図６Ａ及び図６Ｂの実施態様の吸音構造体であり、吸音構造体１５４は、図６Ａ及び図６Ｂの実施態様の吸音構造体であり、吸音構造体１５６は、図８Ａ及び図８Ｂの実施形態の吸音構造体である。あるいは、吸音構造体１５２は、図６Ａ及び図６Ｂの実施態様の吸音構造体であり、吸音構造体１５４は、図６Ａ及び図６Ｂの実施態様の吸音構造体であり、吸音構造体１５６は、図１０Ａ及び図１０Ｂの実施形態の吸音構造体である。あるいは、吸音構造体１５２は、図６Ａ及び図６Ｂの実施態様の吸音構造体の隔壁３２、隔壁３４、隔壁３６及び隔壁３８の少なくとも一つを曲面形状に変形したものであり、吸音構造体１５４は、図６Ａ及び図６Ｂの実施態様の吸音構造体であり、吸音構造体１５６は、図１１Ａ及び図１１Ｂの実施形態の吸音構造体である。
【０１３７】
積層吸音構造体の段数は制限がなく、２段以上であればよい。典型的には、対象となる壁の高さに合わせて、積層吸音構造体を設置する。また、積層吸音構造体を横方向に並べてもよい。
【０１３８】
本発明の他の側面では、吸音構造体用前駆体が提供される。図２２は、本発明の一実施態様の吸音構造体用前駆体を示す。図２２の実施態様の吸音構造体用前駆体は、図１の実施態様の吸音構造体を製造するのに好適に用いることができる。
【０１３９】
図２２で、吸音構造体用前駆体１２は、下面２２と、左側面２４と、右側面２６と、背面２８とを有するフレームを有する。左側面２４と、右側面２６と、背面２８とは、同一の高さであることが好ましい。図２２には、便宜上、フレームの上面２９も記載されているが、フレームの上面は、吸音構造体用前駆体１２の要素ではない。
【０１４０】
フレームの下面２２に、隔壁３０、即ち、隔壁３２、３４、３６、３８、３９が固定されている。隔壁３２、３４、３８、３９は、曲面形状をしているのに対し、隔壁３６は平面形状をしている。図２２の実施態様では、隣接する隔壁３０の間隔は、フレームの前面から背面に向かって連続的に狭くなっている。
【０１４１】
図２２の実施態様では、隔壁３０の厚さ方向に複数の貫通孔３１が形成されている。これにより、共鳴により音が減衰する。
【０１４２】
図２５の実施態様では、隔壁３０の高さは、フレームの側面２４、２６及びフレームの背面２８の高さと同一である。もっとも、隔壁３０の高さは、フレームの側面２４、２６及びフレームの背面２８の高さよりも低くてもよい。
【０１４３】
フレームと隔壁３２との間に背後空気層５２が形成されている。即ち、フレームの下面２２、背面２８、左側面２４及び隔壁３２が、背後空気層５２を形成する。また、フレームと隔壁３９との間に背後空気層５４が形成されている。即ち、フレームの下面２２、背面、右側面２６及び隔壁３９が、背後空気層５４を形成する。背後空気層５２、５４にて共鳴することにより音を減衰させることができる。
【０１４４】
図２５の実施態様では、各々の隔壁３０にその高さ方向に貫通するピン６０ａ、６０ｂ、６０ｃが設けられている。ピン６０ａ、６０ｂ、６０ｃは、それぞれ隔壁３０の前面、中央部、背面に設けられている。ピン６０ａ、６０ｂ、６０ｃは、隔壁３０の高さよりも若干長く、その底部及び頂部が隔壁３０より突出している。そして、ピン６０ａ、６０ｂ、６０ｃの底部は、フレームの下面２２に設けられた貫通孔又は窪みに固定されている。同様に、ピン６０ａ、６０ｂ、６０ｃの頂部は、フレームの上面２９に設けられた貫通孔又は窪みに固定することができる。
【０１４５】
図２３は、本発明に用いることができる吸音材を示す。吸音材１６０は、実質的に直方体形状をしていて、実質的に均一な密度を有する。吸音材１６０は、グラスウール、ロックウール等の繊維からなり、線１６２及び線１６４からなる水平方向に、繊維がからまっていたり、伸びている。線１６２及び線１６４に垂直な方向に吸音材を圧縮することができ、圧縮された個所で密度が増大する。線１６２及び線１６４は、繊維の方向を示すためのものであり、吸音材１６０がシートを積層した構造をしているわけではない。
【０１４６】
図２４は、本発明に用いることができる吸音材を示す。図２４の吸音材１６０は、図２３の吸音材１６０を図２３に示す矢印の方向に９０度回転したものである。
【０１４７】
図２５は、本発明に用いることができる吸音材を示す。図２４の吸音材１６０を４つ横方向に並べたものである。この４つの吸音材１６０を、例えば、図２２の吸音構造体用前駆体１２の隔壁３０の間に充填することができる。
【０１４８】
吸音材は、グラスウール、ロックウールに限られず、ウレタンフォームであってもよい。直方体形状のウレタンフォームであっても、一方向に圧縮したときには、圧縮された個所で密度が増加するからである。
【０１４９】
図１及び図２２のフレームは、幅が１２０〜８００ｍｍであることが好ましく、奥行きが１００〜１０００ｍｍであることが好ましく、高さが３０〜２００ｍｍであることが好ましい。図１及び図２２の隔壁３０の厚さは、０．３〜３ｍｍであることが好ましい。貫通孔３１の径は０．１〜１５ｍｍであることが好ましい。図１及び図２２で隔壁３０の開口率は、３〜３５％であることが好ましい。
【０１５０】
図２４の圧縮されていない吸音材１６０は、例えば、幅が３０〜２００ｍｍであることが好ましく、奥行きが１００〜１０００ｍｍであることが好ましく、高さが３０〜２００ｍｍであることが好ましい。
【０１５１】
図１の吸音構造体１０のフレーム、及び、図２２の吸音構造体用前駆体１２のフレームについては、例えば、幅が４６０ｍｍであり、奥行きが２００ｍｍであり、高さが１００ｍｍである。図２４の圧縮されていない吸音材１６０は、例えば、幅が１１５ｍｍであり、奥行きが２００ｍｍであり、高さが１００ｍｍである。圧縮されていない吸音材１６０の幅１１５ｍｍは、隣接する隔壁３０の間隔の最大値にほぼ等しい。なお、フレーム及び隔壁３０の厚さを無視すると、隣接する隔壁３０の間隔の最大値は１１５ｍｍになる。
【０１５２】
フレームは、剛性を有することが好ましい。フレームとしては、例えば、ステンレス鋼、バネ鋼等からなる金属板；ABS樹脂、ポリ塩化ビニル、ポリカーボネート等からなる熱可塑性又は熱硬化性プラスチック板を用いることができる。フレームの下面２２、フレームの側面２４、フレームの側面２６、フレームの背面２８、フレームの上面２９は、同一の素材からなることが好ましいが、異なる素材を用いてもよい。
【０１５３】
隔壁３０は、吸音材の変形を保持するため、剛性を有することが好ましい。隔壁３０としては、例えば、ステンレス鋼、バネ鋼等からなる金属板；ABS樹脂、ポリ塩化ビニル、ポリカーボネート等からなる熱可塑性又は熱硬化性プラスチック板を用いることができる。
【０１５４】
本発明の他の側面では、実質的に均一な密度を有する吸音材を少なくとも一方向に伸縮し、密度が連続的に変化する吸音材を形成する工程と、前記吸音材をフレームに保持する工程と、を含む吸音構造体の製造方法が提供される。典型的には、実質的に均一な密度を有する吸音材を一方向に圧縮する。吸音材をフレームに保持する工程は、例えば、接着剤で吸音材をフレームに固定してもよい。あるいは、吸音構造体用前駆体の隔壁の間に吸音材を充填してもよい。
【０１５５】
また、本発明の他の側面では、フレームの下面に複数の隔壁を固定し、吸音構造体用前駆体を得る工程と、前記吸音構造体用前駆体の前記隔壁の間に吸音材を充填する工程と、前記隔壁に前記フレームの上面を固定する工程と、を含む吸音構造体の製造方法が提供される。
【０１５６】
本発明の一実施態様では、図２２の吸音構造体用前駆体１２の隔壁３０の間に、図２３又は図２４の吸音材１６０を充填する。即ち、吸音構造体用前駆体１２の隔壁３２と隔壁３４との間に吸音材１６０を充填し、吸音構造体用前駆体１２の隔壁３４と隔壁３６との間に吸音材１６０を充填し、吸音構造体用前駆体１２の隔壁３６と隔壁３８との間に吸音材１６０を充填し、吸音構造体用前駆体１２の隔壁３８と隔壁３９との間に吸音材１６０を充填する。
【０１５７】
充填の際に、吸音材１６０の向きに注意する。即ち、図２３で線１６２が記載されている面が、図１の吸音材４０の入射面４２になり、図２３で線１６４が記載されている面がフレームの上面に接触するようにする。
【０１５８】
次いで、隔壁３０又はフレームの側壁２４、２６にフレームの上面２９を固定する。フレームの上面２９には、ピン６０ａ、６０ｂ、６０ｃの頂部の形状に対応する窪み又は貫通孔が形成されている。
【０１５９】
なお、複数のシート形状の吸音材を吸音構造体前駆体の隣接する隔壁の間に充填してもよい。例えば、グラスウール、ロックウール等の繊維からなるシート形状の吸音材であって、シートの平面方向に繊維がからまっていたり、伸びているものを用いることができる。
【０１６０】
本発明の他の側面では、音響調整空間が提供される。図２６Ａ及び図２６Ｂは、それぞれ、本発明の一実施形態の音響調整空間の断面図及び正面図を示す。音響調整空間１７０は、壁１７２と、壁に接続する床１７４と、壁に接続する天井１７６を有する。音響調整空間１７０は、壁１７２、床１７４、天井１７６に囲まれているのが好ましい。壁１７２には、図示されていない窓、ドア等が設けられてもよい。壁１７２、床１７４、天井１７６の素材、工法は限定されない。
【０１６１】
壁１７２の内側には、積層吸音構造体１８０が設けられている。壁１７２に積層吸音構造体１８０が接触していることが好ましい。積層吸音構造体１８０は、複数の吸音構造体１８２を積層したものである。吸音構造体１８２の各々は同一でもよいし、異なっていてもよい。積層吸音構造体１８０は、壁１７２を床１７４から天井１７６まで覆うことが好ましい。
【０１６２】
図２６Ｂに示すように、複数の積層吸音構造体１８０が、横方向に並べられていて、複数の積層吸音構造体１８０が壁１７２一面を覆うことが好ましい。また、音響調整空間１７０の壁１７２全体が積層吸音構造体１８０で覆われていることが好ましい。
【図面の簡単な説明】
【０１６３】
【図１】本発明の一実施態様の吸音構造体を示す斜視図である。
【図２Ａ】本発明の他の実施態様の吸音構造体を示す断面図である。
【図２Ｂ】本発明の他の実施態様の吸音構造体を示す正面図である。
【図３Ａ】本発明の他の実施態様の吸音構造体を示す断面図である。
【図３Ｂ】本発明の他の実施態様の吸音構造体を示す正面図である。
【図４Ａ】本発明の他の実施態様の吸音構造体を示す断面図である。
【図４Ｂ】本発明の他の実施態様の吸音構造体を示す正面図である。
【図５Ａ】本発明の他の実施態様の吸音構造体を示す断面図である。
【図５Ｂ】本発明の他の実施態様の吸音構造体を示す正面図である。
【図６Ａ】本発明の他の実施態様の吸音構造体を示す断面図である。
【図６Ｂ】本発明の他の実施態様の吸音構造体を示す正面図である。
【図７Ａ】本発明の他の実施態様の吸音構造体を示す断面図である。
【図７Ｂ】本発明の他の実施態様の吸音構造体を示す正面図である。
【図８Ａ】本発明の他の実施態様の吸音構造体を示す断面図である。
【図８Ｂ】本発明の他の実施態様の吸音構造体を示す正面図である。
【図９Ａ】本発明の他の実施態様の吸音構造体を示す断面図である。
【図９Ｂ】本発明の他の実施態様の吸音構造体を示す正面図である。
【図１０Ａ】本発明の他の実施態様の吸音構造体を示す断面図である。
【図１０Ｂ】本発明の他の実施態様の吸音構造体を示す正面図である。
【図１１Ａ】本発明の他の実施態様の吸音構造体を示す断面図である。
【図１１Ｂ】本発明の他の実施態様の吸音構造体を示す正面図である。
【図１２Ａ】本発明の他の実施態様の吸音構造体を示す断面図である。
【図１２Ｂ】本発明の他の実施態様の吸音構造体を示す正面図である。
【図１３】本発明の一実施形態の積層吸音構造体を示す正面図である。
【図１４】本発明の他の実施形態の積層吸音構造体を示す正面図である。
【図１５】本発明の他の実施形態の積層吸音構造体を示す正面図である。
【図１６】本発明の他の実施形態の積層吸音構造体を示す正面図である。
【図１７】本発明の他の実施形態の積層吸音構造体を示す正面図である。
【図１８】本発明の他の実施形態の積層吸音構造体を示す正面図である。
【図１９】本発明の他の実施形態の積層吸音構造体を示す正面図である。
【図２０】本発明の他の実施形態の積層吸音構造体を示す正面図である。
【図２１】本発明の他の実施形態の積層吸音構造体を示す正面図である。
【図２２】本発明の他の実施態様の吸音構造体用前駆体を示す。
【図２３】本発明に用いることができる吸音材の斜視図である。
【図２４】本発明に用いることができる吸音材の斜視図である。
【図２５】本発明に用いることができる吸音材の斜視図である。
【図２６Ａ】本発明の一実施形態の音響調整空間を示す断面図である。
【図２６Ｂ】本発明の一実施形態の音響調整空間を示す正面図である。
【符号の説明】
【０１６４】
１０  吸音構造体
１２  吸音構造体用前駆体
２２  フレームの下面
２４  フレームの側面
２６  フレームの側面
２８  フレームの背面
２９  フレームの上面
３０、３２、３４、３６、３８、３９  隔壁
３１  貫通孔
４０、４１、４３、４５、４７  吸音材
４２  音波の入射面
４４  背面
５２、５４  背後空気層
５６、５８  空気層
６０ａ、６０ｂ、６０ｃ  ピン
７０  積層吸音構造体
７２、７４、７６  吸音構造体
８０  積層吸音構造体
８２、８４、８６  吸音構造体
９０  積層吸音構造体
９２、９４、９６  吸音構造体
１００  積層吸音構造体
１０２、１０４、１０６  吸音構造体
１１０  積層吸音構造体
１１２、１１４、１１６  吸音構造体
１２０  積層吸音構造体
１２２、１２４、１２６  吸音構造体
１３０  積層吸音構造体
１３２、１３４、１３６  吸音構造体
１４０  積層吸音構造体
１４２、１４４、１４６  吸音構造体
１５０  積層吸音構造体
１５２、１５４、１５６  吸音構造体
１６０  吸音材
１７０  音響調整空間
１７２  壁
１７４  床
１７６  天井
１８０  積層吸音構造体
１８２  吸音構造体
【図１】
2005189485.tif 000003
【図２Ａ】
2005189485.tif 000004
【図２Ｂ】
2005189485.tif 000005
【図３Ａ】
2005189485.tif 000006
【図３Ｂ】
2005189485.tif 000007
【図４Ａ】
2005189485.tif 000008
【図４Ｂ】
2005189485.tif 000009
【図５Ａ】
2005189485.tif 000010
【図５Ｂ】
2005189485.tif 000011
【図６Ａ】
2005189485.tif 000012
【図６Ｂ】
2005189485.tif 000013
【図７Ａ】
2005189485.tif 000014
【図７Ｂ】
2005189485.tif 000015
【図８Ａ】
2005189485.tif 000016
【図８Ｂ】
2005189485.tif 000017
【図９Ａ】
2005189485.tif 000018
【図９Ｂ】
2005189485.tif 000019
【図１０Ａ】
2005189485.tif 000020
【図１０Ｂ】
2005189485.tif 000021
【図１１Ａ】
2005189485.tif 000022
【図１１Ｂ】
2005189485.tif 000023
【図１２Ａ】
2005189485.tif 000024
【図１２Ｂ】
2005189485.tif 000025
【図１３】
2005189485.tif 000026
【図１４】
2005189485.tif 000027
【図１５】
2005189485.tif 000028
【図１６】
2005189485.tif 000029
【図１７】
2005189485.tif 000030
【図１８】
2005189485.tif 000031
【図１９】
2005189485.tif 000032
【図２０】
2005189485.tif 000033
【図２１】
2005189485.tif 000034
【図２２】
2005189485.tif 000035
【図２３】
2005189485.tif 000036
【図２４】
2005189485.tif 000037
【図２５】
2005189485.tif 000038
【図２６Ａ】
2005189485.tif 000039
【図２６Ｂ】
2005189485.tif 000040